(57)【要約】【課題】  装着感が低下することを防止することができる携帯用小物入れを提供する。【解決手段】  上下方向及び左右方向に延在する背面１３を含む周囲面１１と、背面１３上において左右方向に延在し、両端が周囲面１１に取り付けられている上側取付部４と、背面１３上の上側取付部４の下方において左右方向に延在し、両端が周囲面１１に取り付けられている下側取付部５と、を含む収納部１と、使用者の服飾品に留めることができるように構成されている留め具６と、留め具６に連結され、上側取付部４及び下側取付部５の何れか一方に対して選択的に係脱自在に掛止する掛止部７と、を有する連結体２と、を備える。【選択図】      図１
0003186193.tif 000002
【実用新案登録請求の範囲】
【請求項１】
上下方向及び左右方向に延在する背面を含む周囲面と、前記背面上において左右方向に延在し、両端が前記周囲面に取り付けられている上側取付部と、前記背面上の前記上側取付部の下方において左右方向に延在し、両端が前記周囲面に取り付けられている下側取付部と、を含む収納部と、
使用者の服飾品に留めることができるように構成されている留め具と、前記留め具に連結され、前記上側取付部及び前記下側取付部の何れか一方に対して選択的に係脱自在に掛止する掛止部と、を有する連結体と、を備える携帯用小物入れ。
【請求項２】
前記上側取付部及び前記下側取付部は、左右に並ぶように一対設けられ、
前記連結体は、前記左側の上側取付部及び前記左側の下側取付部の何れか一方に対して選択的に係脱自在に掛止する左側掛止部を有する左側連結体と、前記右側の上側取付部及び前記右側の下側取付部の何れか一方に対して選択的に係脱自在に掛止する右側掛止部を有する右側連結体と、を含む、請求項１に記載の携帯用小物入れ。
【請求項３】
前記掛止部は、前記留め具から下方に延在し、前記収納部の前記背面と前記上側取付部との間の空間及び前記収納部の前記背面と前記下側取付部との間の空間の何れか一方に選択的に挿通される帯部と、前記帯部の下端部と前記帯部の下端部より上端側の部分とを着脱自在に連結する連結部と、を有する留め具と、を備える、請求項１又は２に記載の携帯用小物入れ。
【請求項４】
前記留め具は、
第１挟持部が形成されている第１挟持板と、
前記第１挟持部と対向する第２挟持部が形成されている第２挟持板と、
倒伏位置において、前記第２挟持部が前記第１挟持部に対して相対的に接近するように構成され、起立位置において、前記第２挟持部が前記第１挟持部に対して相対的に離隔するように構成され、前記倒伏位置において前記第２挟持板から見て第１挟持板が位置する側とは反対側に位置する操作レバーと、を備え、
上側取付部は、前記下側取付部に掛止した前記留め具の倒伏位置に位置する操作レバーと前記第２挟持板との間に位置させることができるように配置されている、請求項１乃至３の何れかに記載の携帯用小物入れ。
【請求項５】
前記収納部は、背面に形成された左右に並ぶ一対の挿通孔を有する、請求項１乃至４の何れかに記載の携帯用小物入れ。
【考案の詳細な説明】
【技術分野】
【０００１】
本考案は、携帯する小物の収納に適した携帯用小物入れに関する。
【背景技術】
【０００２】
従来から身体に装着することができる小物入れが知られている（例えば特許文献１参照）。
【０００３】
この小物入れは、上端部に開口部が形成されたケース部と、使用時において正面から見えないようにケース部背面側に固着された一対のサスペンダークリップとを備えている。そして、サスペンダークリップを使用者の衣服に取り付けることによって、ケース部を使用者の身体に留めることができる。
【先行技術文献】
【特許文献】
【０００４】
【特許文献１】登録実用新案第３１２９２３８号公報
【考案の概要】
【考案が解決しようとする課題】
【０００５】
しかし、特許文献１に記載の小物入れは、取り付ける場所によっては、ケース部の開口部がサスペンダークリップに対して比較的上方に位置するために、使用者が腰を曲げたときなどにおいて、使用者の腹部と収納部の上端部とが接触し、この小物入れの装着感が悪化するという問題があった。
【課題を解決するための手段】
【０００６】
上記課題を解決するため、本考案のある態様に係る携帯用小物入れは、上下方向及び左右方向に延在する背面を含む周囲面と、前記背面上において左右方向に延在し、両端が前記周囲面に取り付けられている上側取付部と、前記背面上の前記上側取付部の下方において左右方向に延在し、両端が前記周囲面に取り付けられている下側取付部と、を含む収納部と、使用者の服飾品に留めることができるように構成されている留め具と、前記留め具に連結され、前記上側取付部及び前記下側取付部の何れか一方に対して選択的に係脱自在に掛止する掛止部と、を有する連結体と、を備える。
【０００７】
この構成によれば、携帯用小物入れの取付場所に応じて、連結体を上側取付部及び下側取付部の何れか一方に選択的に掛止することによって、携帯用小物入れの装着感が悪化することを防止することができる。また、携帯用小物入れと、この携帯用小物入れが装着される服飾品とを調和させることができる。
【０００８】
前記上側取付部及び前記下側取付部は、左右に並ぶように一対設けられ、前記連結体は、前記左側の上側取付部及び前記左側の下側取付部の何れか一方に対して選択的に係脱自在に掛止する左側掛止部を有する左側連結体と、前記右側の上側取付部及び前記右側の下側取付部の何れか一方に対して選択的に係脱自在に掛止する右側掛止部を有する右側連結体と、を含んでいてもよい。
【０００９】
この構成によれば、収納部の取付姿勢が傾くことを防止することができる。
【００１０】
前記掛止部は、前記留め具から下方に延在し、前記収納部の前記背面と前記上側取付部との間の空間及び前記収納部の前記背面と前記下側取付部との間の空間の何れか一方に選択的に挿通される帯部と、前記帯部の下端部と前記帯部の下端部より上端側の部分とを着脱自在に連結する連結部と、を有する留め具と、を備えていてもよい。
【００１１】
この構成によれば、掛止部の構成を簡素化することができ、製造に有利、且つ、製造コストも安価となる。
【００１２】
前記留め具は、第１挟持部が形成されている第１挟持板と、前記第１挟持部と対向する第２挟持部が形成されている第２挟持板と、倒伏位置において、前記第２挟持部が前記第１挟持部に対して相対的に接近するように構成され、起立位置において、前記第２挟持部が前記第１挟持部に対して相対的に離隔するように構成され、前記倒伏位置において前記第２挟持板から見て第１挟持板が位置する側とは反対側に位置する操作レバーと、を備え、上側取付部は、前記下側取付部に掛止した前記留め具の倒伏位置に位置する操作レバーと前記第２挟持板との間に位置させることができるように配置されていてもよい。
【００１３】
この構成によれば、正面が下方を向くように取付姿勢が乱れることを防止することができる。
【００１４】
前記収納部は、背面に形成された左右に並ぶ一対の挿通孔を有していてもよい。
【００１５】
この構成によれば、安全ピンを用いて携帯用小物入れを使用者の服飾品に取り付けることができる。
【考案の効果】
【００１６】
本考案は、装着感が悪化することを防止することができるという効果を奏する。
【図面の簡単な説明】
【００１７】
【図１】本考案の実施の形態に係る携帯用小物入れの構成例を示す背面斜視図である。
【図２】図１の携帯用小物入れの構成例を示す正面斜視図であり、収納部の蓋を開けた状態を示す図である。
【図３】図１の携帯用小物入れの連結体の構成例を示す斜視図である。
【図４】図１の携帯用小物入れの構成例を示す背面図であり、一対の連結体を上側取付部に取り付けた状態を示す図である。
【図５】図１の携帯用小物入れの使用例１を示す図であり、携帯用小物入れをスカートのウエスト部分に取り付けた状態を示す図である。
【図６】図１の携帯用小物入れの使用例２を示す図であり、携帯用小物入れを鞄の開口部の上端縁に取り付けた状態を示す図である。
【図７】図１の携帯用小物入れの使用例３を示す図であり、携帯用小物入れをワンピースのウエスト回りに取り付けた状態を示す図である。
【考案を実施するための形態】
【００１８】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１９】
（実施の形態）
図１は、本考案の実施の形態に係る携帯用小物入れ１００の構成例を示す背面斜視図である。図２は、携帯用小物入れ１００の正面斜視図であり、収納部１の蓋１８を開けた状態を示す図である。
【００２０】
図１及び図２に示すように、携帯用小物入れ１００は、収納部１と、一対の連結体２と、を備える。
【００２１】
収納部１は、化粧品、携帯電話、ハンカチ、ポケットティッシュペーパー等の小物を収納する部分であり、本体３と、一対の上側取付部４と、一対の下側取付部５とを含む。
【００２２】
本体３は、内部に収納空間１０が形成されている袋状体であり、例えば、１以上の布、皮革等の柔軟な布状体を縫合して形成することができる。本体３は、後述する使用時において使用者の身体に面する背面１３を含む周囲面１１を有する。
【００２３】
本実施の形態において、本体３は、略台形に形成された互いに対峙する正面１２及び背面１３を有する。そして、正面１２及び背面１３は、下縁が連なるように一体的に形成され、１枚の布状体によって構成されている。なお、以下では説明の便宜上、背面１３から正面１２に向かう方向を前、その反対方向を後ということがある。また、正面視（前方から後方を見たとき）において、上、下、左、及び右の各方向をそれぞれ単に上、下、左、及び右ということがある。
【００２４】
そして、本体３は、背面１３に形成された一対の挿通孔９を有する。この一対の挿通孔９は、安全ピン１３１（図７参照）の針を挿通するための孔であり、背面１３を構成する布状体の表面と裏面とを接続するように形成されている。一対の挿通孔９は、所定の間隔をあけて左右に並んで形成されている。本実施の形態においては、挿通孔９が後述する一対の上側取付部４と一対の下側取付部５との間の領域に形成されている形態を例示したが、これに限られるものではない。
【００２５】
また、本体３は、左側面１４及び右側面１５を有し、それぞれ１枚の布状体によって構成されている。左側面１４を構成する布状体の前側の側縁は、正面１２を構成する布状体の左側縁に縫合され、左側面１４を構成する布状体の後側の側縁は、背面１３を構成する布状体の左側の側縁に縫合されている。また、右側面１５を構成する布状体の前側の側縁は、正面１２を構成する布状体の右側の側縁に縫合され、右側面１５を構成する布状体の後側の側縁は、背面１３を構成する布状体の右側縁に縫合されている。これら、左側面１４及び右側面１５は、下から上に向かうに従って幅寸法が大きくなるように形成されている。したがって、本体３の収納空間１０は、側面視において上方に向かうにしたがって拡がるように形成されている。
【００２６】
更に、本体３は、上下方向に延在する仕切り１６を備えている。仕切り１６は、左端部が左側面１４を構成する布状体の幅方向中央部に縫合され、右端部が右側面１５を構成する布状体の幅方向中央部に縫合されている。これによって、本体３の収納空間１０は、前後に並ぶ２つの空間に区画され、物品を整理して各空間に収納することができるようになっている。
【００２７】
そして、本体３の正面１２、背面１３、左側面１４及び右側面１５の上端によって囲まれる領域は、本体３の開口部１７を構成している。したがって、この開口部１７を通じて収納空間１０に物品を入れたり、収納空間１０から物品を取り出したりすることができるようになっている。
【００２８】
そして、左側面１４及び右側面１５を構成する布状体の前側の側縁から仕切り１６までの領域は、その幅方向中央部が収納空間１０に向かって凹むように癖付られ、マチ部を構成している。また、左側面１４及び右側面１５を構成する布状体の仕切り１６から後側の側縁までの領域も、その幅方向中央部が収納空間１０に向かって凹むように癖付けられ、マチ部を構成している。これによって、正面１２の上端を背面１３の上端に近づけると、左側面１４及び右側面１５は、マチ部で折り畳まれるようになっている。したがって、本体３の前後方向の寸法を縮小させて、収納部１を扁平な形状とすることができ、持ち運びに有利となる。また、収納空間１０に物品を出し入れするときは、正面１２の上端と背面１３の上端とを引き離して、開口部１７を拡開することによって、収納空間１０への物品の出し入れを容易に行うことができる。
【００２９】
そして、本体３は、舌状に形成された蓋１８を有する。蓋１８は、一枚の布状体によって構成されている。そして、蓋１８は、基端部が背面１３を構成する布状体の上縁部に縫合され、蓋１８の基端部から中間部までの領域で開口部１７を覆うことができるように形成されている。
【００３０】
更に、本体３は、蓋１８の先端部を正面１２に係止する係止部１９を有する。本実施の形態において、係止部１９は、例えば、面ファスナーであって、蓋１８の先端部に固着されたフック状の起毛部を有する第１起毛部材１９ａと、第１起毛部材１９ａのフック上の起毛部を引っ掛けることができるループ状の起毛部を有する正面１２に固着された第２起毛部材１９ｂを有する。なお、係止部１９は、上記構成に限定されるものではなく、種々の固定手段を適用することができる。
【００３１】
本体３の形態は、上記形態に限定されるものではなく、用途、収納物の形状等に応じて、種々の形態を適用することができる。
【００３２】
一対の上側取付部４は、背面１３上において左右方向に延在し、両端が周囲面１１に取り付けられている。本実施の形態において、一対の上側取付部４は、一本の帯状体２１で構成されている。この帯状体２１の左側の端部は、背面１３を構成する布状体と左側面１４を構成する布状体との間に挟み込まれた上で、これらの布状体と共に一体的に縫合されている。また、帯状体２１の右側の端部は、背面１３を構成する布状体と右側面１５を構成する布状体との間に挟み込まれた上で、これらの布状体と共に一体的に縫合されている。更に、帯状体２１の左右方向における中間部２１ａは、背面１３を構成する布状体に縫合されている。この帯状体２１の左側の端部から中間部２１ａまでの領域が左側の上側取付部４を構成し、帯状体２１に中間部２１ａから右側の端部までの領域が右側の上側取付部４を構成する。したがって、一対の上側取付部４は、左右に並ぶように設けられている。
【００３３】
一対の下側取付部５は、背面１３上の上側取付部４の下方において左右方向に延在し、両端が周囲面１１に取り付けられている。本実施の形態において、一対の下側取付部５は、一本の帯状体２２で構成されている。この帯状体２２の左側の端部は、背面１３を構成する布状体と左側面１４を構成する布状体との間に挟み込まれた上で、これらの布状体と共に一体的に縫合されている。また、帯状体２２の右側の端部は、背面１３を構成する布状体と右側面１５を構成する布状体との間に挟み込まれた上で、これらの布状体と共に一体的に縫合されている。更に、帯状体２２の左右方向における中間部２２ａは、背面１３を構成する布状体に縫合されている。この帯状体２２の左側の端部から中間部２１ａまでの領域が左側の上側取付部４を構成し、帯状体２２に中間部２１ａから右側の端部までの領域が右側の上側取付部４を構成する。したがって、一対の下側取付部５は、左右に並ぶように設けられている。
【００３４】
図３は、携帯用小物入れ１００の連結部２を示す斜視図である。
【００３５】
連結体２は、収納部１を例えば使用者の服飾品に留めることによって、収納部１と使用者の身体とを連結するものである。連結体２は、留め具６と、掛止部７と、を有する。
【００３６】
留め具６は、例えば、使用者の服飾品に留めることができるように構成され、本実施の形態においては、所謂サスペンダークリップを例示している。
【００３７】
すなわち、図３に示すように、留め具６は、第１挟持板３１と、第２挟持板３２と、一対の支持部３６と、操作レバー３８と、押圧板３９とを備える。
【００３８】
第１挟持板３１は、板状体であり、一端部に第１挟持部３３が形成されている。第１挟持部３３は、例えば、第１挟持板３１を構成する板状体の一方の面から突出する突起である。
【００３９】
第２挟持板３２は、板状体であり、一端部に第２挟持部３４が形成されている。第２挟持部３４は、第１挟持部３３と対向して位置するように形成された第２挟持板３２を構成する板状体の一方の面から突出する突起である。また、第２挟持板３２は、他端部３２ａが第１挟持板３１の他端部３１ａに連結されている。第１挟持板３１と第２挟持板３２とは、弾性を有する樹脂材によって構成されており、第１挟持部３３と第２挟持部３４とが離間する方向に付勢力が生じるように構成されている。
【００４０】
一対の支持部３６は、それぞれ柱状体である。一対の支持部３６のうち、一方の支持部３６は基端部が第１挟持板３１の一方の側縁に連なるように設けられ、他方の支持部３６は基端部が第１挟持板３１の他方の側縁に連なるように設けられている。そして、一対の支持部３６は、第１挟持板３１から第２挟持板３２に向かう方向に延びている。そして、支持部３６の先端部は、第２挟持板３２から見て第１挟持板３１が位置する側とは反対側に位置している。
【００４１】
操作レバー３８は、板状体であり、基端部が一対の支持部３６の先端部に、第１挟持板３１の幅方向に延びる回動軸線Ｌ１周りに倒伏位置と起立位置との間で回動自在に取り付けられている。したがって、操作レバー３８は、第２挟持板３２から見て第１挟持板３１が位置する側とは反対側に位置する。そして、操作レバー３８の倒伏位置とは、操作レバー３８が第１挟持板３１の延在方向に延びる位置である。また、操作レバー３８の起立位置とは、操作レバー３８の先端部が第２挟持板３２から離れるように操作レバー３８を倒伏位置から略９０度回転させた位置であり、操作レバー３８の基端部から先端部に向かう方向が第１挟持板３１から第２挟持板３２に向かう方向と略一致する位置である。そして、操作レバー３８が倒伏位置に位置すると仮定した場合において、操作レバー３８の基端部から第１挟持板３１及び第２挟持板３２が位置する方向に突出する突起３８ａを有する。
【００４２】
押圧板３９は、弾性を有する薄肉の板状態であり、本実施の形態においては、スレンレス製の板材である。そして、押圧板３９は、操作レバー３８と第２挟持板３２との間に位置しており、先端部及び基端部がそれぞれ第２挟持板３２の先端部及び基端部に接している。そして、押圧板３９の先端部と基端部との間の中間部は、操作レバー３８側に隆起し、第２挟持板３２と離間するように形成されている。さらに、第２挟持板３２と離間する押圧板３９の中間部は、倒伏状態の操作レバー３８の突起３８ａによって押圧されるように構成されている。この押圧力によって、第２挟持板３２は、上述の第２挟持板３２の付勢力に抗し、第２挟持部３４が第１挟持部３３に対して相対的に接近するように構成されている。すなわち、操作レバー３８が倒伏位置に位置する状態においては、第２挟持部３４が第１挟持部３３に対して相対的に接近するように構成されている。
【００４３】
また、操作レバー３８を起立位置に位置させると、突起３８ａは、押圧板３９から離れ、押圧板３９の押圧が解除されるように構成されている。すなわち、操作レバー３８が起立位置に位置する状態においては、第２挟持部３４が第１挟持部３３に対して相対的に離隔するように構成されている。
【００４４】
このように、留め具６は、操作レバー３８を倒伏位置に位置させることによって、第２挟持部３４が第１挟持部３３に接近し、第１挟持部３３及び第２挟持部３４の間に位置するものを挟持することができるように構成されている。また、操作レバー３８を起立位置に位置させることによって、挟持したものを開放することができるように構成されている。
【００４５】
図４は、携帯用小物入れ１００の構成例を示す背面図であり、一対の連結体２を上側取付部５に取り付けた状態を示す図である。
【００４６】
掛止部７は、図１及び図４に示すように、上側取付部４及び下側取付部５の何れか一方に対して選択的に係脱自在に掛止することができるものである。
【００４７】
本実施の形態において、掛止部７は、図１に示すように、帯状体である帯部４２を含む。そして帯部４２の基端部は、第２挟持部３４と一体的に形成されている。また、掛止部７は、帯部４２の基端部よりも先端側に、上側取付部４及び下側取付部５の何れか一方に対して選択的に係止することができる係止部４１を有する。本実施の形態において、係止部４１は、突起を有する雄部材と突起と係合する雌部材を有するスナップボタンであり、雄部材及び雌部材の一方は帯部４２の先端部に取り付けられ、他方は帯部４２の先端部よりも基端側に取り付けられている。
【００４８】
したがって、収納部１の背面１３と上側取付部４との間に帯部４２の先端部を挿入し、上側取付部４を帯部４２の係止部４１の雄部材と雌部材との間の領域に位置させた上で、雄部材と雌部材とを係合することによって、図４に示すように連結体２を上側取付部４に掛止することができる。
【００４９】
また、収納部１の背面１３と下側取付部５との間に帯部４２の先端部を挿入し、下側取付部５を帯部４２の係止部４１の雄部材と雌部材との間の領域に位置させた上で、雄部材と雌部材とを係合することによって、図１に示すように連結体２を下側取付部５に掛止することができる。
【００５０】
更に、掛止部７は、図４に示すように、連結体２を上側取付部４に掛止した状態において、連結体２の留め具６が収納部１の上端よりも上方に位置するように帯部４２の長さ寸法が規定されている。
【００５１】
また、掛止部７は、図１に示すように、連結体２を下側取付部５に掛止した状態において、連結体２の留め具６が収納部１の上端よりも下方に位置するように帯部４２の長さ寸法が規定されている。
【００５２】
更に、図１に示すように、上側取付部４は、連結体２を下側取付部５に掛止した状態において、倒伏位置に位置する操作レバー３８と第２挟持板３２との間に位置させることができるように配置されている。したがって、連結体２を下側取付部５に掛止した状態において、上側取付部４を倒伏位置に位置する操作レバー３８と第２挟持板３２とによって挟み込むことによって、留め具６が上側取付部４に係止され、連結体２が背面１３から離れる方向に移動することを規制することができる。したがって、正面１２が下方を向くように取付姿勢が乱れることを防止することができる。
【００５３】
このように、収納部１を連結体２によって使用者の服飾品に取り付け、携帯用小物入れ１００を携帯することができるので、携帯用小物入れ１００は、携帯に有利である。
【００５４】
そして、携帯用小物入れ１００は、一対の連結体２を備えているので、服飾品に取り付けた携帯用小物入れ１００の収納部１の取付姿勢が傾くことを防止することができる。これによって、運搬時に収納空間１０に収納された物品が収納空間１０から飛び出すことを防止することができる。
【００５５】
（使用例１）
次に、携帯用小物入れ１００の使用例１を説明する。
【００５６】
図５は、携帯用小物入れ１００の使用例を示す図であり、携帯用小物入れ１００をスカート１１０のウエスト部分１１１に取り付けた状態を示す図である。
【００５７】
図５に示すように、本使用例では、携帯用小物入れ１００を使用者が着用するスカート１１０のウエスト部分１１１に取り付ける場合の使用例について説明する。
【００５８】
まず、図４に示すように、携帯用小物入れ１００の一対の連結体２を、収納部１の一対の上側取付部４に取り付ける。
【００５９】
次に、図３に示すように、留め具６の操作レバー３８を起立位置に位置させ、第１挟持部３３及び第２挟持部３４を離間させる。
【００６０】
次に、図５に示すように、ウエスト部分１１１の上方から、ウエスト部分１１１と使用者の体の間に第１挟持板３１を差し込み、ウエスト部分１１１を第１挟持部３３と第２挟持部３４との間に位置させる。
【００６１】
次に、操作レバー３８を倒伏位置に位置させる。これによって、第２挟持部３４は第１挟持部３３に接近し、ウエスト部分１１１は、留め具６の第１挟持部３３及び第２挟持部３４によって挟持される。
【００６２】
このようにして、収納部１と使用者の身体とを連結体２によって連結することができ、携帯用小物入れ１００をスカート１１０に装着することができる。
【００６３】
上述の通り、連結体２を上側取付部４に取り付けた状態において、連結体２の留め具６は収納部１の上端よりも上方に位置する。したがって、留め具６が把持するスカート１１０のウエスト部分１１１は、収納部の上端よりも上方に位置する。よって、使用者が腰を曲げたときなどにおいて、使用者の腹部と収納部１の上端部とが接触することを防止することができ、携帯用小物入れ１００の装着感が悪化することを防止することができる。
【００６４】
なお、連結体２の留め具６のメカニカルな外観が、使用者の服装品と調和しない場合がある。このような場合、使用者の上着等で連結体２を覆いメカニカルな外観を有する留め具６部分を覆うことによって、携帯用小物入れ１００と使用者が着用するスカート１１０とを調和させることができる。
【００６５】
（使用例２）
次に、携帯用小物入れ１００の使用例２を説明する。
【００６６】
図６は、携帯用小物入れ１００の使用例を示す図であり、携帯用小物入れ１００を鞄１２０の開口部の上端縁１２１に取り付けた状態を示す図である。
【００６７】
図６に示すように、本使用例では、携帯用小物入れ１００を鞄１２０の開口部の上端縁１２１に取り付ける場合の使用例について説明する。
【００６８】
まず、図１に示すように、携帯用小物入れ１００の一対の連結体２を、収納部１の一対の下側取付部５に取り付ける。
【００６９】
次に、図３に示すように、留め具６の操作レバー３８を起立位置に位置させ、第１挟持部３３及び第２挟持部３４を離間させる。
【００７０】
次に、図６に示すように、鞄１２０の上端縁１２１を第１挟持部３３と第２挟持部３４との間に位置させる。
【００７１】
次に、操作レバー３８を倒伏位置に位置させる。これによって、第２挟持部３４は第１挟持部３３に接近し、鞄１２０の上端縁１２１は、第１挟持部３３及び第２挟持部３４によって挟持される。この時、上側取付部４が操作レバー３８と第２挟持板３２とによって挟み込まれるようにする。
【００７２】
このようにして、収納部１と鞄１２０とを連結体２によって連結することができ、携帯用小物入れ１００を鞄１２０に取り付けることができる。
【００７３】
上述の通り、連結体２を下側取付部５に取り付けた状態において、連結体２の留め具６は、収納部１の上端よりも下方に位置する。したがって、携帯用小物入れ１００の正面側から携帯用小物入れ１００を見た時に連結体２は、全体が収納部１の背面１３に覆われるように位置し、正面側にメカニカルな外観を有する留め具６が露出しないようになっている。よって、携帯用小物入れ１００と鞄１２０とを調和させることができる。
【００７４】
（使用例３）
次に、携帯用小物入れ１００の使用例３を説明する。
【００７５】
図７は、携帯用小物入れ１００の使用例を示す図であり、安全ピン１３１を一対の挿通孔９に挿通した状態を示す図である。
【００７６】
図７に示すように、本実施例では、携帯用小物入れ１００をワンピース１３０のウエスト周りに取り付ける場合の使用例について説明する。本実施例において例示するワンピース１３０は、上衣と下衣とが一体的に形成され、ワンピース１３０のウエスト周りに留め具６を取り付けるために適した部位が存在しない。
【００７７】
まず、携帯用小物入れ１００の一対の連結体２を、収納部１から取り外す。
【００７８】
次に、携帯用小物入れ１００の収納部１の蓋１８を開けて、背面１３をワンピースの取付位置にあてる。
【００７９】
次に、携帯用小物入れ１００の収納空間１０側から一対の挿通孔９のうち一方の挿通孔９に安全ピン１３１の針を挿通する。そして、安全ピン１３１の針をワンピース１３０の表面から裏面に向かって刺し通し、針先をワンピース１３０の裏側に出す。更に、ワンピース１３０の裏面から表面に向かって刺し通し、針先をワンピース１３０の表側に出す。そして、この針先を他方の挿通孔９に挿通し、針先を収納空間１０に位置させる。そして、安全ピン１３１の針先収納部１３２に収納する。
【００８０】
このようにして、収納部１とワンピース１３０とを一対の挿通孔９に挿通した安全ピン１３１によって連結することができ、携帯用小物入れ１００をワンピース１３０に取り付けることができる。
【００８１】
また、収納部１から一対の連結体２を取り外した上でワンピース１３０に取り付けることができるので、使用していない連結体２が使用者の身体側にあたり、携帯用小物入れ１００の装着感が悪化することを防止することができる。
【００８２】
以上に説明したように、本考案の携帯用小物入れ１００は、連結体２を上側取付部４及び下側取付部５の何れか一方に選択的に掛止することができるので、携帯用小物入れ１００の取付場所に応じて、連結体２を上側取付部４及び下側取付部５の何れか一方に選択的に掛止することによって、携帯用小物入れ１００の装着感が悪化することを防止することができる。また、携帯用小物入れ１００と、携帯用小物入れ１００が装着される服飾品とを調和させることができる。
【００８３】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００８４】
本件考案は、物品の運搬に適用することができる。
【符号の説明】
【００８５】
１  収納部
２  連結体
３  本体
４  上側取付部
５  下側取付部
６  留め具
７  掛止部
９  挿通孔
１０  収納空間
１１  周囲面
１２  正面
１３  背面
１４  左側面
１５  右側面
１６  仕切り
１７  開口部
１８  蓋
１９  係止部
１９ａ  第１起毛部材
１９ｂ  第２起毛部材
２１  帯状体
２１ａ  中間部
２２  帯状体
２２ａ  中間部
３１  第１挟持板
３２  第２挟持板
３３  第１挟持部
３４  第２挟持部
３６  支持部
３８  操作レバー
３８ａ  突起
３９  押圧板
４１  係止部
４２  帯部
１００  携帯用小物入れ
１１０  スカート
１１１  ウエスト部分
１２０  鞄
１２１  上端縁
１３０  ワンピース
１３１  安全ピン
１３２  針先収納部
【図１】
0003186193.tif 000003
【図２】
0003186193.tif 000004
【図３】
0003186193.tif 000005
【図４】
0003186193.tif 000006
【図５】
0003186193.tif 000007
【図６】
0003186193.tif 000008
【図７】
0003186193.tif 000009